(57)【要約】【課題】排紙トレイ上に排出された媒体を十分に冷却することができ，装置前面側への胴内空間の空気の漏出も抑制することができる画像形成装置を提供すること。【解決手段】画像形成部と定着部とを内蔵する本体部２と，本体部２の上方に配置された読み取り部とを有し，本体部２と読み取り部との間に，少なくとも装置前面側が開放するとともに少なくとも片方の装置側面側が閉鎖された胴内空間９が形成されている画像形成装置であってさらに，本体部２の上面に設けられトナー像定着済みの媒体が積載される排紙トレイ１３と，定着部を通過した媒体を前記片方の装置側面側から胴内空間９に排出して排紙トレイ１３上に積載させる排出口と，胴内空間９内における排出口より上方に配置され排出口から排出された媒体に風を吹き付ける冷却ファンと，胴内空間９から装置前面側以外の方角に向かって空気を機外へ排出する排気ファンとを有する。【選択図】図３
2017090480.tif 000002
【特許請求の範囲】
【請求項１】
トナー像を形成して媒体に付与する画像形成部と，前記画像形成部でトナー像の付与を受けた媒体を加熱してトナー像を定着させる定着部とを内蔵する本体部と，
前記本体部の上方に配置され原稿の画像を読み取る読み取り部とを有し，
前記本体部と前記読み取り部との間に，少なくとも装置前面側が開放するとともに少なくとも片方の装置側面側が閉鎖された胴内空間が形成されている画像形成装置であって，
前記本体部の上面に設けられトナー像定着済みの媒体が積載される排紙トレイと，
前記定着部を通過した媒体を前記片方の装置側面側から前記胴内空間に排出して前記排紙トレイ上に積載させる排出口と，
前記胴内空間内における前記排出口より上方に配置され前記排出口から排出された媒体に風を吹き付ける冷却ファンと，
前記胴内空間から装置前面側以外の方角に向かって空気を機外へ排出する排気ファンとを有することを特徴とする画像形成装置。
【請求項２】
請求項１に記載の画像形成装置であって，
前記排気ファンの風量が前記冷却ファンの風量と同等以上であることを特徴とする画像形成装置。
【請求項３】
請求項１または請求項２に記載の画像形成装置であって，
前記排気ファンは，前記胴内空間から装置背面側に向かって空気を排出するものであることを特徴とする画像形成装置。
【請求項４】
請求項１から請求項３までのいずれか１つに記載の画像形成装置であって，
前記排気ファンの前後の少なくとも一方に脱臭フィルターが備えられていることを特徴とする画像形成装置。
【請求項５】
請求項１から請求項４までのいずれか１つに記載の画像形成装置であって，
前記胴内空間に機外から空気を導入する吸気ファンを有することを特徴とする画像形成装置。
【請求項６】
請求項５に記載の画像形成装置であって，
前記吸気ファンは，装置前面側に設けられ装置奥行き方向奥向きに送風するものであることを特徴とする画像形成装置。
【請求項７】
請求項６に記載の画像形成装置であって，
前記吸気ファンは，前記冷却ファンに対して装置前方側の位置に配置されていることを特徴とする画像形成装置。
【請求項８】
請求項７に記載の画像形成装置であって，
前記吸気ファンは，少なくともその一部が，前記冷却ファンの吸入面よりも高さ方向に上方にはみ出すように配置されていることを特徴とする画像形成装置。
【請求項９】
請求項５から請求項８までのいずれか１つに記載の画像形成装置であって，
前記排気ファンの風量が前記吸気ファンの風量と同等以上であることを特徴とする画像形成装置。
【請求項１０】
請求項１から請求項９までのいずれか１つに記載の画像形成装置であって，
前記定着部を通過した媒体の一部を一時的に前記片方の装置側面側から前記胴内空間に突出させるとともに裏面へのトナー像の付与のためにその媒体を再び機内に引き込む，前記排出口より上方に設けられた反転口と，
前記胴内空間内における前記排出口と前記反転口との間の高さ位置に設けられ，前記反転口から部分的に突出した媒体を支持するガイド部材とを有し，
前記冷却ファンは，前記ガイド部材の下側に配置されていることを特徴とする画像形成装置。
【発明の詳細な説明】
【技術分野】
【０００１】
本発明は，印刷用紙その他のシート状の媒体にトナーにより画像形成を行う画像形成装置に関する。さらに詳細には，原稿の画像を読み取る読み取り部を有するとともに，読み取り部が本体部より上方に位置してその間に胴内空間が形成され，その胴内空間内に画像形成済みの媒体が排出される構成の画像形成装置に関するものである。
【背景技術】
【０００２】
従来から，上記のような胴内空間部分を有する画像形成装置には，本体部の上面が，画像形成済みの媒体を積載する排紙トレイとなっているものがある。このような画像形成装置の一例として，特許文献１に記載されたものが挙げられる。この画像形成装置では，上方から下方に向かって空気を吹き付ける冷却ファンを，排紙トレイの上方に設けている。排紙トレイ上に積載された媒体を冷却するためである。このようなことが必要になるのは，画像形成済みの媒体が，トナー像の転写のために加熱され高温になった状態で排紙トレイ上に排出されるからである。
【先行技術文献】
【特許文献】
【０００３】
【特許文献１】特開２００８−１３４４８４号公報
【発明の概要】
【発明が解決しようとする課題】
【０００４】
しかしながら前記した従来の技術では，冷却ファンによる送風を行ってもなお，排紙トレイ上の媒体の冷却が不十分になる場合があった。近年の装置の高速化により，排紙トレイ上の媒体が十分に冷却されないうちに次の媒体が排出されてしまうことが多くなってきたためである。この場合に，未硬化のトナーが糊のような働きをして媒体同士が貼り付いてしまうことがあった。また，画像形成を連続的に行うと胴内空間の気温自体が上昇し，高温となった胴内空間の空気が装置前面側に流れ出てきてユーザーに不快感を与えることもあった。
【０００５】
本発明は，前記した従来の技術が有する問題点を解決するためになされたものである。すなわちその課題とするところは，排紙トレイ上に排出された媒体を十分に冷却することができ，装置前面側への胴内空間の空気の漏出も抑制することができる画像形成装置を提供することにある。
【課題を解決するための手段】
【０００６】
本発明の一態様における画像形成装置は，トナー像を形成して媒体に付与する画像形成部と，画像形成部でトナー像の付与を受けた媒体を加熱してトナー像を定着させる定着部とを内蔵する本体部と，本体部の上方に配置され原稿の画像を読み取る読み取り部とを有している。本態様の画像形成装置ではさらに，本体部と読み取り部との間に，少なくとも装置前面側が開放するとともに少なくとも片方の装置側面側が閉鎖された胴内空間が形成されている。そして本態様の画像形成装置では，本体部の上面に設けられトナー像定着済みの媒体が積載される排紙トレイと，定着部を通過した媒体を片方の装置側面側から胴内空間に排出して排紙トレイ上に積載させる排出口と，胴内空間内における排出口より上方に配置され排出口から排出された媒体に風を吹き付ける冷却ファンと，胴内空間から装置前面側以外の方角に向かって空気を機外へ排出する排気ファンとを有することを特徴とする。
【０００７】
上記態様の画像形成装置では，本体部の画像形成部でトナー像の付与を受けた媒体は，定着部での加熱定着を経て排出口から排出され排紙トレイ上に積載される。そこは本体部と読み取り部との間の胴内空間の中である。しかしながら冷却ファンにより，排出口から排出された媒体に風が吹き付けられる。これにより，高温となって排出された媒体が冷却される。また，排気ファンの送風により，胴内空間の高温となった空気が装置前面側以外の方角に向かって機外へ排出される。こうして，胴内空間からの排熱が図られるとともに，その高温となった空気の装置前面側への漏出が抑制される。
【０００８】
上記態様の画像形成装置ではさらに，排気ファンの風量が冷却ファンの風量と同等以上であることが望ましい。これにより，胴内空間内で高温となった空気のより確実な排出がなされるからである。また，排気ファンは，胴内空間から装置背面側に向かって空気を排出するものであることが望ましい。胴内空間から装置前面側への空気の漏出の抑制のために最も効果的だからである。
【０００９】
上記態様の画像形成装置ではまた，排気ファンの前後の少なくとも一方に脱臭フィルターが備えられているとよりよい。胴内空間内で高温となった空気には，媒体上のトナー由来の揮発成分が含まれている場合がある。脱臭フィルターにより，そのような揮発成分を捕集して，外部への放出を防止できるからである。
【００１０】
上記態様の画像形成装置ではまた，前述の排気ファンとは別に，胴内空間に機外から空気を導入する吸気ファンを有することもまた有益である。高温となっていない機外の空気を胴内空間内に導入することで，媒体のより効果的な冷却が図られ，また胴内空間の高温化も抑制できるからである。ここで，排気ファンの風量が吸気ファンの風量と同等以上であることが望ましい。これにより，胴内空間内での空気の滞留を防止できるからである。
【００１１】
吸気ファンを有する態様の画像形成装置では，吸気ファンが，装置前面側に設けられ装置奥行き方向奥向きに送風するものであることが望ましい。吸気ファンをこの側およびこの向きに設けることで，胴内空間内の空気の装置前面側への漏出をより確実に抑制できるからである。
【００１２】
吸気ファンはまた，冷却ファンに対して装置前方側の位置に配置されているとよりよい。外部から導入されたばかりの低温の空気を冷却ファンで媒体に吹き付けることができ，媒体の冷却効率が向上するからである。さらに吸気ファンは，少なくともその一部が，冷却ファンの吸入面よりも高さ方向に上方にはみ出すように配置されていることが望ましい。その方が，吸気ファンで吸入したばかりの空気を冷却ファンで媒体に吹き付ける上で有利だからである。
【００１３】
上記態様の画像形成装置はさらに，定着部を通過した媒体の一部を一時的に前記片方の装置側面側から胴内空間に突出させるとともに裏面へのトナー像の付与のためにその媒体を再び機内に引き込む，排出口より上方に設けられた反転口と，胴内空間内における排出口と反転口との間の高さ位置に設けられ，反転口から部分的に突出した媒体を支持するガイド部材とを有するものであってもよい。この場合に冷却ファンは，ガイド部材の下側に配置されていることが望ましい。両面印刷対応の画像形成装置の場合であっても，冷却ファンをこの配置とすることで，反転口から一時的に突出した媒体に遮られることなく，冷却ファンの風を，排出口から排出された媒体に吹き当てることができるからである。
【発明の効果】
【００１４】
本構成によれば，排紙トレイ上に排出された媒体を十分に冷却することができ，装置前面側への胴内空間の空気の漏出も抑制することができる画像形成装置が提供されている。
【図面の簡単な説明】
【００１５】
【図１】実施の形態に係る画像形成装置の全体構成を示す正面断面図である。
【図２】画像形成装置の上端部付近を拡大して示す断面図である。
【図３】画像形成装置の本体部の頂部付近を，読み取り部を取り外した状態で示す前面側からの斜視図である。
【図４】画像形成装置の本体部の頂部付近を，読み取り部を取り外した状態で示す背面側からの斜視図である。
【図５】実施の形態に係る画像形成装置の胴内空間付近の部分の正面図である。
【図６】図２の一部を拡大して示す断面図である。
【図７】画像形成装置の本体部における，冷却ファンユニットおよび吸気ファンの部分の平面図である。
【発明を実施するための形態】
【００１６】
以下，本発明を具体化した実施の形態について，添付図面を参照しつつ詳細に説明する。本形態は，図１に示す画像形成装置１に本発明を適用したものである。図１の画像形成装置１は，本体部２と，その上方に配置された読み取り部３とを有している。本体部２は画像形成の実行のための基本構成部分を内蔵しており，読み取り部３は原稿の画像を読み取る構成を内蔵している。
【００１７】
本体部２について簡単に説明する。本体部２は，中間転写ベルト５と，４つの画像形成ユニット４と，二次転写ローラー６とを有している。これらにより，トナー像を形成して印刷用紙その他のシート状の媒体にそのトナー像を付与する画像形成部が構成されている。このため本体部２には，給紙カセットや手差しトレイ等の給紙部８が設けられている。各給紙部８のいずれかから，画像形成部に媒体Ｓが供給されるようになっている。なお，本体部２で形成する画像の内容は，読み取り部３で読み取った原稿の画像の複製であってもよいし，他の機器（パーソナルコンピューター等）から受信した印刷ジョブに基づく画像であってもよい。
【００１８】
図２に，本体部２の上端部および読み取り部３の拡大断面図を示す。ただし読み取り部３の内部機構は省略している。本体部２には上記のものの他にさらに，定着部７が設けられている。定着部７は，トナー像の付与を受けた媒体を加熱してトナー像を定着させるものである。また，本体部２の上面の一部に，排紙トレイ１３が設けられている。排紙トレイ１３の上方に読み取り部３が存在することで，それらの間に胴内空間９が形成されている。胴内空間９は，画像形成装置１における前方側，つまりユーザー側に開放している一方，片方の装置側面側（図１では右側）は本体部２と読み取り部３との接続部分により閉鎖されている空間である。本形態における胴内空間９は，もう片方の装置側面側（図１では左側）は前方側と同様に開放されている。背面側は，背面板１０により閉鎖されている。ただし背面板１０の一部に，窓部１１が形成されている。
【００１９】
本体部２にはさらに，排出口１２と，反転口１５とが設けられている。排出口１２は，画像形成が済んだ媒体を機外（具体的には胴内空間９）に排出する箇所である。排出口１２から排出された媒体は，排紙トレイ１３上に積載されることとなる。画像形成装置１における排出口１２は，媒体を，排紙トレイ１３に対して前述の片方の装置側面側から排出する位置に設けられている。反転口１５は，片面の画像形成が済んでもう片面の画像形成をこれから受ける媒体の一部を一時的に機外（同上）に突出させる箇所である。反転口１５は，排出口１２の上側に位置している。反転口１５から部分的に突出した媒体はその後，再び機内に引き込まれることとなる。このため本体部２には，反転口１５から引き込んだ媒体を再び画像形成に供するための反転路１７が設けられている。また，媒体の進路を切り替える切り替え爪１４も設けられている。
【００２０】
胴内空間９にはさらに，ガイド部材１９が存在している。ガイド部材１９は，反転口１５から部分的に突出した媒体を支持するものである。ガイド部材１９は，本体部２における排出口１２と反転口１５との間の高さ位置から胴内空間９に向かって突出して設けられている。これにより，反転口１５から一次的に突出した媒体が垂れ下がって排紙トレイ１３上の媒体に接触することを防止している。ガイド部材１９の下面側には，冷却ファン２０を内蔵する冷却ファンユニット１８が設けられている。冷却ファン２０は，排紙トレイ１３上に積載される媒体に対して送風するためのものである。
【００２１】
画像形成装置１から読み取り部３を取り外した状態での本体部２の頂部付近の前面側からの斜視図を図３に示す。また背面側からの斜視図を図４に示す。図３および図４に示されるように，背面板１０のさらに背後側には，排気ダクト１６が設けられている。排気ダクト１６は，窓部１１と繋がっている。また，排気ダクト１６には，排気ファン２１が内蔵されている（図４）。さらに排気ダクト１６の出口は画像形成装置１の後方向きに開口しており，そこには脱臭フィルター２２が取り付けられている（同）。
【００２２】
一方，冷却ファンユニット１８の前面側には，吸気ファン２３が設けられている。なお図３および図４では，排出口１２は冷却ファンユニット１８の下に隠れているため見えていない。また，吸気ファン２３は，図１および図２の断面位置より前方寄りにあるため，図１および図２には現れていない。また，図３，図４から明らかなように，本形態における冷却ファンユニット１８は，装置の奥行き方向（媒体の幅方向）に長尺なものである。この中に複数の冷却ファン２０が当該長尺方向に並べて配置されていてもよい。
【００２３】
図５に，画像形成装置１における胴内空間９付近の正面図を示す。実際の画像形成装置１を正面から見ると図５に示されるように，吸気ファン２３は操作パネル２４に隠れて一部分しか見えない。また，冷却ファンユニット１８は吸気ファン２３および操作パネル２４に隠れており，図５では見えない。
【００２４】
ここで，冷却ファン２０，排気ファン２１，吸気ファン２３についてさらに説明する。冷却ファン２０は図６に示されるように，上下方向下向きの風Ａを起こすものである。冷却ファン２０が排出口１２より上方に配置されていることから，排出口１２から排出された媒体Ｓが排紙トレイ１３上に積載されるに際して，冷却ファン２０の存在が邪魔になることはない。そして冷却ファン２０は，ガイド部材１９の付け根付近に配置されている。このため，排出口１２から排出される媒体Ｓの搬送方向における各部位が一度は風Ａの直撃を受けることになる。排出口１２から媒体Ｓが排出されていないときには，風Ａは排紙トレイ１３上に既に積載されている媒体Ｓに対して吹き付けられることとなる。こうして，画像形成済みの媒体Ｓは風Ａにより効果的に冷却されることとなる。
【００２５】
また，冷却ファン２０がガイド部材１９の下面側に設けられていることから，反転口１５から突出した媒体がガイド部材１９上に位置している状態であっても，風Ａ自体はその媒体により遮られない。冷却ファン２０の吸気抵抗が多少増す程度の影響で済む。このことも，画像形成済みの媒体Ｓの効率的な冷却に貢献している。
【００２６】
排気ファン２１は，胴内空間９内の空気を背面板１０の窓部１１から吸い出すものである。胴内空間９内の気温は媒体Ｓの排熱により上昇しがちであるが，高温となった空気は排気ファン２１の吸引により胴内空間９から排出されることとなる。こうして，胴内空間９内の気温の上昇が抑制されている。また，排気ファン２１の吸引により胴内空間９は外部と比較して軽く負圧状態となる。これにより，胴内空間９内の空気の装置前面側への漏出も抑制されている。このため，胴内空間９内で高温となった空気にユーザーが触れて不快感を感じることがあまりない。
【００２７】
また，排気ファン２１により胴内空間９から吸い出された空気は，排気ダクト１６を通って画像形成装置１の背面側に放出されることとなる。この放出位置はユーザーから見て遠い側であるため，ユーザーに不快感を感じさせることはあまりない。また，その途上で当該空気は脱臭フィルター２２を通過する。このため，当該空気中にトナーから揮発した成分が含まれていたとしても，当該揮発成分は脱臭フィルター２２に捕集されることになる。このため，当該揮発成分の環境への放出も抑制されている。
【００２８】
排気ファン２１による胴内空間９からの吸引位置（上記では窓部１１）は，胴内空間９に対して，装置背面側に設ける代わりに，いずれかの装置側面側に設けることも考えられる。しかし上記のように装置背面側に設けることが望ましい。装置背面側から空気を吸引することで，胴内空間９全体に奥行き方向奥向きの気流を生じさせることができるからである。これにより，胴内空間９における高温の空気の滞留を防止することができる。また，高温の空気の装置前面側への漏出も，より効果的に抑制できる。なお，吸引位置は，装置側面側であっても，奥行き方向の中央よりも奥側であれば，装置背面側の場合と比べてさほど大きくは劣らない効果が得られる。
【００２９】
次に吸気ファン２３であるがこれは，胴内空間９に機外から低温の空気を吸入するためのものである。吸気ファン２３は，胴内空間９に対して装置前面側に設けられることが望ましい。装置前面側から奥行き方向奥向きの気流を吸気ファン２３で発生させることで，既に胴内空間９で高温となっている空気の装置前面側への漏出をさらに抑制できるからである。
【００３０】
さらに前述のように，本形態における吸気ファン２３は，冷却ファンユニット１８の前方側の位置に設けられている。吸気ファン２３をこの位置に設けることで，図７に示されるように，吸気ファン２３による風Ｂが冷却ファンユニット１８へ向かうことになるからである。さらに，図３〜図５から明らかなように吸気ファン２３は，画像形成装置１の正面から見ると冷却ファンユニット１８が隠れてしまうように配置されている。ということは吸気ファン２３の少なくとも一部が，冷却ファン２０の吸入面よりも高さ方向に上方にはみ出すように配置されているということである。このため，図７中の風Ｂの少なくとも一部が，冷却ファン２０の吸入面側に供給されることとなる。したがって，吸気ファン２３により吸入されたばかりの低温の空気が，図６中の風Ａとして媒体Ｓに吹き付けられることとなる。このため媒体Ｓの冷却効率が高い。
【００３１】
ここで，冷却ファン２０，排気ファン２１，吸気ファン２３の風量の関係について述べる。本形態においては，これらのファンの中で，排気ファン２１の風量が最も強くされている。すなわち排気ファン２１の風量は，冷却ファン２０，吸気ファン２３のいずれの風量に対しても同等以上確保されている。このため，これらのファンによる気流の中で，排気ファン２１による気流が最も優勢である。したがって，胴内空間９から背面側への排気が最も優勢に行われる。これにより，胴内空間９内での空気の滞留が防止され，内部の気温の上昇が抑制されている。またこのことは当然，胴内空間９から装置前面側への空気の漏出を抑制するという点からも有利である。なお，冷却ファンユニット１８が複数の冷却ファン２０を有する場合には，排気ファン２１の風量が，それらの冷却ファン２０の合計の風量以上であることが望ましい。
【００３２】
上記構成により画像形成装置１では，本体部２で画像形成を行い，その画像形成を受けた媒体Ｓが排出口１２から排出される際に，冷却ファン２０，排気ファン２１，吸気ファン２３による送風がなされる。このため，排出される高温の媒体Ｓの冷却（冷却ファン２０），媒体Ｓを冷却して高温となった空気の胴内空間９からの排出（排気ファン２１），装置前面側からの新しい空気の胴内空間９への導入（吸気ファン２３）が行われる。また，胴内空間９から排出される空気中に含まれているトナー由来の揮発成分は，脱臭フィルター２２により捕集される。また，排出口１２から媒体Ｓが排出されていないときでも，排紙トレイ１３上に媒体Ｓが積載されていれば同様である。
【００３３】
以上詳細に説明したように本実施の形態によれば，読み取り部３の下方が胴内空間９となっておりそこへ画像形成済みの媒体が排出される構成の画像形成装置１において，媒体に空気を吹き付ける冷却ファン２０に加えて，排気ファン２１，吸気ファン２３をも設けている。これにより，媒体を冷却して高温となった空気が，排気ファン２１により効率よく胴内空間９から背面側へ排出されるようになっている。また，機外から，低温の空気が前面側から吸気ファン２３により胴内空間９に吸入されるようになっている。これにより，画像形成済みの媒体が効率よく冷却され，それでいて胴内空間９内の気温が上昇しにくい画像形成装置１が実現されている。このことによりまた，胴内空間９の空気がユーザー側に流れ出て不快感を感じさせることも抑制されている。このことは特に，高速に画像形成を実行する場合に意義が大きい。
【００３４】
なお，本実施の形態は単なる例示にすぎず，本発明を何ら限定するものではない。したがって本発明は当然に，その要旨を逸脱しない範囲内で種々の改良，変形が可能である。例えば，前記実施の形態では，胴内空間９の背面側には背面板１０が設けられていることとしたが，背面板１０は必須のものではない。また，胴内空間９に対して，排出口１２等がある装置右側面側の反対の左側面側については，本形態のように開放でもよいし，何らかの仕切り板で閉鎖されていてもよい。排出口１２等自体，本形態と逆に装置左側面側にあってもよい。また画像形成装置１は，公衆回線経由で外部の機器との間で印刷ジョブの送受信ができるものであってもよい。また，媒体Ｓの両面に対して画像形成を行う機能は必須ではなく，片面に対してのみ画像形成する構成の装置であってもよい。また，モノクロ機であってもよい。
【００３５】
また，前記形態では，背面板１０の背面側に排気ダクト１６を設けたが，ダクトと見られる形状の部分が必須な訳ではない。窓部１１の直後に隣接して排気ファン２１および脱臭フィルター２２を設け，ダクトと見られる形状の部分が存在しないようにしたものであってもよい。また，排気ファン２１と脱臭フィルター２２との上下流関係は任意である。すなわち，実施の形態のように脱臭フィルター２２が排気ファン２１の下流側に配置されるばかりでなく，脱臭フィルター２２が排気ファン２１の上流側に配置されていてもよい。脱臭フィルター２２が排気ファン２１の上下流の両方に設けられていてもよい。排気ダクト１６が存在する場合，脱臭フィルター２２や排気ファン２１は，その中の上下流方向のどの位置にあってもよい。
【符号の説明】
【００３６】
１    画像形成装置
２    本体部
３    読み取り部
４    画像形成ユニット（画像形成部）
５    中間転写ベルト（画像形成部）
６    二次転写ローラー（画像形成部）
７    定着部
９    胴内空間
１０  背面板
１１  窓部
１２  排出口
１３  排紙トレイ
１５  反転口
１８  冷却ファンユニット
１９  ガイド部材
２０  冷却ファン
２１  排気ファン
２２  脱臭フィルター
２３  吸気ファン
【図１】
2017090480.tif 000003
【図２】
2017090480.tif 000004
【図３】
2017090480.tif 000005
【図４】
2017090480.tif 000006
【図５】
2017090480.tif 000007
【図６】
2017090480.tif 000008
【図７】
2017090480.tif 000009